(57)【要約】【課題】土間コンクリート下の断熱材からのシロアリの侵入を防止して建物を保護するための建物基礎部の防蟻構造及びその施工法を構築すること。【解決手段】  建物基礎部における布基礎２の立ち上がり部２ａの内側面２ｃによって囲まれた建物の床下に位置する地盤面１上方に打設される土間コンクリート６と、上面が、前記土間コンクリート６の下面に密接して設けられる断熱材４と、前記土間コンクリート６の下方で、前記布基礎２の立ち上がり部２ａの内側面に密接して配設されるシロアリ侵入防止用のバリア層５と、少なくとも中央部分が前記断熱材４の下面の中央部分と地盤面１との間に介在し、周縁部が前記バリア層５と密接する防蟻シート３、を具備してなる建物基礎部の防蟻構造。【選択図】図１
2018003266.tif 000002
【特許請求の範囲】
【請求項１】
建物基礎部における布基礎の立ち上がり部の内側面によって囲まれた建物の床下に位置する地盤面上方に打設される土間コンクリートと、
上面が、前記土間コンクリートの下面に密接して設けられる断熱材と、
前記土間コンクリートの下方で、前記布基礎の立ち上がり部の内側面に密接して配設されるシロアリ侵入防止用のバリア層と、
少なくとも中央部分が前記断熱材の下面の中央部分と地盤面との間に介在し、周縁部が前記バリア層と密接する防蟻シート、を具備してなる建物基礎部の防蟻構造。
【請求項２】
前記防蟻シートの周縁部とバリア層との密接が、前記防蟻シートの周縁部の上面とバリア層の下面との密接であることを特徴とする請求項１に記載の建物基礎部の防蟻構造。  
【請求項３】
前記防蟻シートの周縁部とバリア層との密接が、前記防蟻シートの周縁部の下面とバリア層の上面との密接であることを特徴とする請求項１に記載の建物基礎部の防蟻構造。
【請求項４】
前記防蟻シートの周縁部とバリア層との密接が、前記防蟻シートの周縁部の上面とバリア層の側面及び下面との密接であることを特徴とする請求項１に記載の建物基礎部の防蟻構造。  
【請求項５】
前記防蟻シートは、物理的防蟻性を備えることを特徴とする請求項１乃至４のいずれかに記載の建物基礎部の防蟻構造。
【請求項６】
建物基礎部における布基礎の立ち上がり部の内側面によって囲まれた建物の床下に位置する地盤面上に防蟻シートを敷設する工程と、
前記防蟻シートの上面に、前記布基礎の立ち上がり部の内側面から間隙を空けて断熱材を配置する工程と、
前記間隙にシロアリ侵入防止用のバリア層を前記立ち上がり部の内周面と前記防蟻シートに密接させて配設する工程と、
前記断熱材と前記バリア層の上面に密接させて土間コンクリートを打設する工程と、を備えた建物基礎部の防蟻構造の施工方法。
【発明の詳細な説明】
【技術分野】
【０００１】
この発明は、建物の布基礎の立ち上がり部の内側面に囲まれた床下に断熱材が敷設され、その上方に土間コンクリートが打設された断熱床下構造において、土間コンクリート下の断熱材からのシロアリの侵入を防止して建物を保護するための建物基礎部の防蟻構造及びその施工法に関する。
【背景技術】
【０００２】
建物へのシロアリの侵入を防止するための防蟻処理としては、薬剤を使用する方法が一般的に知られている。具体的には、食害を受け易い建物の木質部分に薬剤を直接散布又は含浸させたり、建物基礎部における土壌面に薬剤を直接散布又は薬剤を含浸させたシート等を敷設している。
【０００３】
しかしながら、上記のように薬剤を使用する方法では、薬剤の成分による人体や動植物ならびに周辺環境への影響が懸念される。また、薬剤は時間が経つにつれて防蟻効果が消失するので、定期的に防蟻処理を繰り返す必要があるが、従来においては土間コン上から穿孔して実施するしかなく確実な処理が困難であるのに加えて、施工に手間がかかる。
【０００４】
そのため、土壌面の薬効が消失した箇所から、シロアリが断熱材へ到達する可能性がある。
【０００５】
シロアリが断熱材に到達すると、一般に断熱材は、発泡ポリスチレン、発泡ポリエチレン、発泡ポリウレタンといった発泡樹脂からなるため、シロアリによって容易に食い破られてしまう恐れがある。
【０００６】
それにより、当該断熱材による断熱機能が低下し、場合によっては当該断熱材が通り道となってシロアリが屋内に到達するリスクがある。
【０００７】
そこで、上記のような課題の解決方法として、これまでは、布基礎の立ち上がり部の内側面によって囲まれた地盤面上に敷設した断熱材の下面を覆うように防蟻シートを敷設する方法が提案されている。（特許文献１参照）
【０００８】
また、布基礎の立ち上がり部の間に断熱材が設けられておらず、土壌面に土間コンクリートが接している建物基礎部における防蟻構造として、布基礎の立ち上がり部と土間コンクリートとの間の隅部に沿って土壌面の基礎際を覆うように、無機物粒子を敷き詰めてなるか鉄鋼副産物であるスラグを敷き詰めてなるバリア層を設けたものが提案されている。（特許文献２参照）
【先行技術文献】
【特許文献】
【０００９】
【特許文献１】特開２００３−０１３５１１号公報
【特許文献２】特開２０１４−０６２４３５号公報
【発明の概要】
【発明が解決しようとする課題】
【００１０】
しかしながら、特許文献１の断熱材の下面を覆うように防蟻シートを地盤面上に敷設する防蟻構造では、一般に防蟻シートは樹脂製であるので布基礎を構成するコンクリートとの密着性が悪いために、周縁部に隙間が生じやすく、又、粘着テープでその隙間を塞ぐようにしても粘着テープには耐久性の観点から問題がある。このようなことから、シロアリに防蟻シートを突破された場合、シロアリの屋内への侵入を防ぐことができない。
【００１１】
また、特許文献２の土壌面の基礎際をバリア層で覆う構造を、布基礎の立ち上がり部の間に土壌に接して断熱材が設けられ、その上に土間コンクリートが打設された断熱床下構造に適用した場合、シロアリが断熱材を食い破り布基礎の立ち上がり部と土間コンクリートとの間の隅部に到達し、そこから屋内に侵入する経路を遮断することができない。
【００１２】
本発明は、上記のような課題に鑑みてなされたものであって、断熱材の下面を覆うように防蟻シートを敷設すると共に、断熱材及び立ち上がり部の内側面に接するようにバリア層を設けることによって、薬剤に頼らずに恒久的に土間コンクリート下の断熱材からのシロアリの侵入を防止する防蟻構造を提供することを目的とする。
【課題を解決するための手段】
【００１３】
上記目的を達成するために、本発明に係る建物基礎部の防蟻構造は、建物基礎部における布基礎の立ち上がり部の内側面によって囲まれた建物の床下に位置する地盤面上方に打設される土間コンクリートと、上面が、前記土間コンクリートの下面に密接して設けられる断熱材と、前記土間コンクリートの下方で、前記布基礎の立ち上がり部の内側面に密接して配設されるシロアリ侵入防止用のバリア層と、少なくとも中央部分が前記断熱材の下面の中央部分と地盤面との間に介在し、周縁部が前記バリア層と密接する防蟻シート、を具備することを特徴としている。
【００１４】
また、本発明に係る建物基礎部の防蟻構造は、前記防蟻シートの周縁部とバリア層との密接が、前記防蟻シートの周縁部の上面とバリア層の下面との密接であることを特徴としている。
【００１５】
更に又、本発明に係る建物基礎部の防蟻構造は、前記防蟻シートの周縁部とバリア層との密接が、前記防蟻シートの周縁部の下面とバリア層の上面との密接であることを特徴としている。
【００１６】
又、本発明に係る建物基礎部の防蟻構造は、前記防蟻シートの周縁部とバリア層との密接が、前記防蟻シートの周縁部の上面とバリア層の側面及び下面との密接であることを特徴としている。
【００１７】
又、本発明に係る建物基礎部の防蟻構造の施工方法は、建物基礎部における布基礎の立ち上がり部の内側面によって囲まれた建物の床下に位置する地盤面上に防蟻シートを敷設する工程と、前記防蟻シートの上面に、前記布基礎の立ち上がり部の内側面から間隙を空けて断熱材を配置する工程と、前記間隙にシロアリ侵入防止用のバリア層を前記立ち上がり部の内周面と前記防蟻シートに密接させて配設する工程と、前記断熱材と前記バリア層の上面に密接させて土間コンクリートを打設する工程と、を備えることを特徴としている。
【発明の効果】
【００１８】
本発明によれば、土間コンクリートの下面に密着している断熱材の下面の少なくとも中央部分が防蟻シートに密接し、周縁部がシロアリ侵入防止用のバリア層と密接しているので、地盤面上に這い上がってきたシロアリは、防蟻シート若しくはバリア層に遮られて断熱材に到達できない。又、立ち上がり部の内側面とバリア層は密接しているので、シロアリは立ち上がり部の内側面に沿って地盤内を這い上がってもバリア層で行く手を遮られる。更に、防蟻シートの周縁部はこのバリア層に密接しているので、バリア層の下面に沿って水平方向に地盤内を進行しても、防蟻シートによって遮られて断熱材には到達できない。従って、シロアリの床下から建物内への侵入を防ぐことができる。又、防蟻シートの周縁部は立ち上がり部の内周面に密着させる必要でないので、防蟻シートとコンクリートからなる内周面との密着性は問題にはならなく、確実な防蟻構造を得ることができる。
【００１９】
又、前記防蟻シートの周縁部とバリア層との密接が、前記防蟻シートの周縁部の上面とバリア層の下面との密接である場合には、防蟻シート及びバリア層によってシロアリの地盤面上への侵入を阻止し得ることに加えて、防蟻シートを布基礎の立ち上がり部の内側面によって囲まれた建物の床下に位置する地盤面上の布基礎の立ち上がり部の内側面に沿ってバリア層が密接し、このバリア層によって外周囲が囲まれたまれた内側に断熱材が存在するので、断熱材の使用量がバリア層の占める面積分だけ少なくて良いのでその分材料経費を節約できる利点がある。加えて、バリア層の下面の一部と防蟻シートの周縁部が密接していれば防蟻できるために、防蟻シートの使用量をその分だけ少なくすることができ、施工経費を節減できる。更に加えて、万一、シロアリが防蟻シートの破損等によって断熱材を食害して通り道を形成した場合であっても、土間コンクリ―の周囲の下面はバリア層と密接し隙間が塞がれているために床下に這い上がることはできない利点がある。
【００２０】
更に、前記防蟻シートの周縁部とバリア層との密接が、前記防蟻シートの周縁部の下面とバリア層の上面との密接である場合には、防蟻シート及びバリア層によってシロアリの地盤面上への侵入を阻止し得ることに加えて、断熱材を布基礎の立ち上がり部の内側面によって囲まれた建物の床下に位置する地盤面の全面に防蟻シートを介して敷設できるので、断熱効果が向上する。
【００２１】
更に又、前記防蟻シートの周縁部とバリア層との密接が、前記防蟻シートの周縁部の上面とバリア層の下面との密接である場合には、防蟻シート及びバリア層によってシロアリの地盤面上への侵入を阻止し得ることに加えて、バリア層が地盤となる土壌や砂利などと接触しないように施工できるので、バリア層の材料を投入した際に型崩れするのを防止できる。
【００２２】
更に、建物基礎部の防蟻構造の施工方法によると、建物の床下に位置する地盤面上に防蟻シートを敷設してから、この防蟻シートの上面の前記布基礎の立ち上がり部の内側面から間隙を空けた中央部分に断熱材を配置し、この断熱材の外周と前記布基礎の立ち上がり部の内側面が形成する間隙に、シロアリ侵入防止用のバリア層を前記立ち上がり部の内周面と前記防蟻シートに密接させて配設してから、前記断熱材と前記バリア層の上面に密接するように土間コンクリートを打設することで、施工できる。従って、バリア層形成のためにバリア層の高さ分の溝の掘り起こし工事を地盤面について行う必要がなくなるので、工期が短縮できると共に、施工経費もその分安くなる。又、バリア層が無機物粒子或いは鉄鋼副産物であるスラグ粒子を含む水硬性の徐冷スラグであれば、予め形成している間隙内に落とし込むだけで良いので工事が楽であるという利点がある。また、地盤に含まれる水分だけでも粒子が硬化するので更に作業が楽になる利点がある。
【図面の簡単な説明】
【００２３】
【図１】本発明の実施形態に係る建物基礎部の防蟻構造の縦断面図。
【図２】図１に対応する一部破断平面図。
【図３】図１の隅角部周辺拡大図。
【図４】本発明の他の実施形態に係る建物基礎部の防蟻構造の縦断面図。
【図５】図４の隅角部周辺拡大図
【図６】本発明の他の実施形態に係る建物基礎部の防蟻構造の縦断面図。
【図７】図６の隅角部周辺拡大図。
【図８】本発明の実施形態に係る建物基礎部の防蟻構造の施工手順を示す縦断面図（その１）。
【図９】同上の施工手順を示す縦断面図（その２）。
【図１０】同上の施工手順を示す縦断面図（その３）。
【図１１】同上の施工手順を示す縦断面図（その４）。
【図１２】同上の施工手順を示す縦断面図（その５）。
【発明を実施するための形態】
【００２４】
この発明の最良の実施形態について以下図面を参照しつつ説明する。この発明の建物基礎部の防蟻構造の３つの実施形態の主な図は、図１、図４、図６にそれぞれ示されている。
まず、図１に示す第１の実施形態について、図２、図３をも参照しつつ説明する。土壌や砂利などからなる地盤面１に、図外の建物の１階の間取りにほぼ対応するように四角形状に区分けされて敷設された布基礎２は、周知のように、地盤面１の上方に向かった立ち上り部２ａと地中に埋設されているフーチング２ｂからなり、この第１の実施形態は、前記立ち上がり部２ａに囲まれた地盤面１上に、下から順に防蟻シート３、断熱材４とバリア層５、及び土間コンクリート６が敷設されてなるものである。
【００２５】
前記防蟻シート３は、材質がエチレンビニルアセテート樹脂（ＥＶＡ）、ポリオレフィン系樹脂（ポリエチレン・ＰＥ，ポリプロピレン・ＰＰ）、ポリカーボネート（ＰＣ）、ポリエチレンテレフタラート（ＰＥＴ），ポリ塩化ビニール（ＰＶＣ）などであって、ＪＩＳＡ６３９０（１９９７）に規定されるものと同等もしくはそれ以上の気密・防湿性能を持ち、厚さが０．１ｍｍ以上で、しかもシロアリの侵入を物理的に阻止できうる硬度を有するシート、フィルムなどである。この防蟻シート３を布基礎２の立ち上り部２ａの内側面２ｃに囲まれた地盤面１上方に敷く。地盤面１の面積が広い場合に、ロール状に巻かれているシートの幅では足りない時には、側端部同士を重ねた重ね代３ａを５〜１５ｍｍ設けて施工する。この重ね代３ａの上方から断熱材４を介して重量のある土間コンクリート６の重量が加わるので、この重ね代３ａは圧着されて密着し隙間が塞がれるためにシロアリの通過を阻止できる。しかし、この重ね代３ａを接着剤によって接合して一枚ものにして、シロアリの侵入間隙を無いようにしても良い。防蟻シート３の周縁は立ち上り部２ａの内側面２ｃに必ずしも密着させる必要はなく、少しの隙間が存在しても、後の工程で施工するバリア層５の幅よりこの隙間の方が狭ければ、地盤面１の上面を塞げるためにシロアリに侵入経路を防ぐことができる。即ち、防蟻シート３が断熱材４の外周囲からはみ出していれば良い。このように敷かれた防蟻シート３により、地盤面１上方へシロアリが蟻道を形成して這い上がって来た場合にも、更なる上方へは侵入できなくなると共に、気密性・防湿性を有しているので、地盤面１から湿気が床下内に入り込むことも防止できる。又、防蟻シート３の外周縁は立ち上り部２ａの内側面２ｃに密着していなくても、バリア層５によって塞がれるために、工事が楽にできる。更に、この防蟻シート３には防蟻のための薬剤を塗布する必要はない物理的防蟻性を有するので、恒久的に使用可能である。
【００２６】
前記断熱材４は、一般に使用されているプラスチック系の発泡体のものであってもその他のものであっても特に限定されるものではない。プラスチック系の断熱材としては、硬質ウレタンフォーム、発泡ポリエチレン、フェノールフォーム、発泡ポリスチレンフォーム、発泡炭化カルシウムなどが適宜選択使用される。このような防蟻シート３が下面に敷かれているために、シロアリが下面から断熱材４を食い荒らして蟻道を形成することはないので防蟻性能は要求されない。そのために安価な材質のものが採用できる。断熱材４は厚さ３０〜２００ｍｍで縦横が１０００〜２０００ｍｍの板状に成形されたものが一般的に使用される。立ち上がり部２ａの内側面２ｃに囲まれた地盤面１の区画の形状は通常これより広い場合が一般的であるので、複数の断熱材４を平面的に出来るだけ隙間が生じないようにして密接４ａして並べて使用される。しかし、隣接の断熱材４をテープ接合或いは発泡ウレタン充填で一体として使用し、隙間からの熱の通過を阻止して断熱効率を更に向上するようにしても良い。この断熱材４は、前記立ち上がり部２ａの内側面２cからバリア層５の幅に相当する間隔７を開けて防蟻シート３の中央部分に置かれている。従って、断熱材４の周囲には内側面２cとの間にバリア層５用の間隔７が形成されている。この間隔７の中に前記防蟻シート３の周縁が入るようにしておけば良い。
【００２７】
前記シロアリ侵入防止用のバリア層５は、鉄鋼副産物である水硬性がある転炉スラグの徐冷スラグが好適に使用される。この徐冷スラグは、JIS A 1102  において規定されている目開き１．１８ｍｍの篩に留まり、且つ、目開き４．７５ｍｍの篩を通過する硬質緻密な結晶質の粒子を５０重量％以上含有するものが好適である。この徐冷スラグであれば、水分の存在下で固まる性質を有しているので、土壌などの地盤面１に含まれる水分や散水によってスラグ同士が結合して硬化することから、間隔７内においてスラグ粒子間が埋まるためにシロアリが抜け出ることを防止できる。更に、スラグの硬化は炭酸化反応によるものであることから、硬化の前後で体積は変化しないか、若しくは、硬化後の方が若干膨張するために、このバリア層５に隣接する断熱材４、立ち上り部２ａ更には防蟻シート３との間に隙間が生じることがなくなることからそれらの境界からのシロアリの通過を防ぐことが出来る。又、施工時においては、前記間隔７に徐冷スラグを投入して水分を吸収できる環境下に置いておくだけの簡単な施工で良い。このバリア層５の厚さは、断熱材４の厚さと略等しい３０〜２００ｍｍ、幅は前記間隔７と略等しくなるが５０ｍｍ以上が好適である。尚、バリア層５は徐冷スラグに代えて小石やガラス粒子などの無機物粒子を敷き詰めたものであってもよい
【００２８】
土間コンクリート６は、布基礎２の立ち上り部２ａの内側面２ｃによって囲まれた前記断熱材４及びバリア層５の上方にコンクリートを打設して硬化させたものであるので、当該土間コンクリート７は地盤面１の上方に位置し、且つ、布基礎２の上方に構築される建物の床下に位置する。通常の施工では、６０ｍｍ以上の厚さである。
【００２９】
次に、第２の実施形態について、図４、図５を参照しつつ説明する。前記第１の実施形態と異なる構成要件は、バリア層５が地盤面１から布基礎２の立ち上り部２ａの内側面２ｃに沿って堀り下げて形成されている溝内に敷設され、且つ、このバリア層５の上面が防蟻シート３の周縁部の下面と密接していることである。
その他の構成要件は、同じであるのでその説明を省略する。
この第２の実施形態の場合には、土間コンクリート６の下方の断熱材４の下面には防蟻シート３が密接しているので、シロアリが地盤面１まで這い上がってきも、断熱材４にまで達することを防止できる。更に、立ち上り部２ａの内側面２ｃと断熱材４の側面との密接部分の下方の角部にはバリア層５があるので、密接部分へのシロアリの侵入を阻止できる。図においては、バリア層５の断面形状は矩形状としているが、内側面２ｃと防蟻シート３が形成する角部の下方を塞ぐ位置にあれば、角部と向い合う外形状は曲線状であってもよい。図示のように矩形状の場合には、前記第１の実施形態と同様に深さが３０〜２００ｍｍ、幅は５０ｍｍ以上が好適である。
【００３０】
第３の実施形態について、図６、図７を参考にしつつ説明する。前記第２の実施形態と異なる構成要件は、防蟻シート３の周縁部がバリア層５の上面ではなくて、バリア層５の側面と下面に密接している点である。
この第３の実施形態の場合には、土間コンクリート６の下方の断熱材４の下面の中央部分には防蟻シート３が密接し、断熱材４の下面の周縁部にはバリア層５が密着しているので、断熱材４の下面の全ては断熱材４とバリア層５とに密着していることになり、シロアリが地盤面１まで這い上がってきも、断熱材４にまで達することを防止できる構造になっている。この実施形態において、防蟻シート３の周縁部の上面とバリア層５の下面との密接は、バリア層５の側面との密接を確実ならしめるためのものであるから、バリア層５の側面と防蟻シート３の周縁部との密接が、確実になされる場合には必要がなくなるものである。
【００３１】
この発明の第１の実施形態の施工法について図８〜図１２に基づいて説明する。この施工法は、まず、図８に示すように、地盤面１の建物基礎部の布基礎２の立ち上り部２ａの内側面２ｃによって囲まれた建物の床下に位置する区画された前記地盤面１の上に、図９に示すように、防蟻シート３の周縁が前記立ち上り部７の内側面２ｃに接するようにして区画された地盤面１の全面に敷設してもよいが、前記内側面２ｃから少しの隙間を開けておいてもよい。この場合の隙間は、バリア層５の幅となる間隔７よりも小さいものとする。防蟻シート３は、幅が１〜２ｍ、長さが３０〜７０ｍ等のシートをロール状に巻いたものを使用する場合には、長さ方向に切断したシートを幅方向に５〜２０ｃｍ程度重ねた重ね代３ａを設けて敷設すると、後の工程で上方に断熱材４を介して重量のある土間コンクリート６が載るので、その重みによりこの重ね代３ａが密接して、敢えて接着剤で接着しなくともシロアリの侵入経路となるのを防止でき、経費の節約と施工手順の省力化を図ることができる。
【００３２】
次に、図１０に示すように、防蟻シート３の上面に断熱材４を敷設する。断熱材４はプラスチックの発泡体からなる厚さ３０〜２００ｍｍで縦横が１０００〜２０００ｍｍ等の板状に成形された矩形状であるので、これを水平方向に並べて必要な場合には切断して並べられた防蟻シート３の上面の中央部分に縦横方向を、図１に示すように、密接４ａさせながら、布基礎２の立ち上り部２ａの内側面２ｃからバリア層５の幅に相当する間隔７を開けて並べる。この時、敷設してある防蟻シート３の周縁は並べられた断熱材４の周縁の全周に亘って外側へはみ出した位置にある。隣接し合う断熱材４同士は特に接着剤で接着しなくても上方に土間コンクリート６が載置されるので密接されることからとくに必要がない。
【００３３】
上記の工法によって形成され間隔７の内部にバリア層５を形成する徐冷スラグを投入して、図１１に示すように、バリア層５を形成する。徐冷スラグは、前記したように、土壌などの地盤に含まれる水分によってスラグの粒子同士が結合して硬化し、バリア層５内部をシロアリが抜け出ることを防止できる。別途徐冷スラグを投入した後に散水すればより効果的に硬化することができる。そして、硬化の前後で体積は変化しないか、若しくは、硬化後の方が若干膨張する性質を有しているので、このバリア層５に隣接する断熱材４、立ち上り部２ａ更には防蟻シート３との間に隙間が生じることがなくなることからそれらの境界からのシロアリの侵入を未然に防ぐことが出来る。
【００３４】
最後に上記した断熱材４及びバリア層５の上面にコンクリートを打設して硬化させて土間コンクリリート６を形成する。これによって、建物基礎部の防蟻構造が構築される。
【００３５】
第２及び第３の実施形態の防蟻構造の施工方法と第１の実施形態の施工方法とが異なるとことは、バリア層５を形成するために必要な溝を地盤面１に形成する必要があることである。すなわち、立ち上り部２ａの内側面２ｃに沿って地盤面１にバリア層５の幅に相当すると間隔７と深さの溝を掘り込む作業が事前の準備として必要になる点である。
【００３６】
第２の実施形態の場合には、前記溝を構築した後に、その内部に徐冷スラグを投入して地盤面１と同一面となるようにしてから散水するなどして水分を加えて硬化してバリア層５を形成し、その地盤面１とバリア層５の上面に跨るように防蟻シート３を敷設する。その後、立ち上り部３ａの内側面７ｃに周縁が密接するようにして前記と同様の方法で断熱材４を敷設した後にコンクリートを打設して土間コンクリート６を形成する。
【００３７】
第３の実施態形態の場合には、立ち上り部２ａの内側面２ｃに沿って溝を構築することは同じ工法であるが、徐冷スラグは防蟻シート３を敷設した後に投入することが相違する。防蟻シート３の周縁部は溝の中に溝の側面及び底面に密着して敷設され、この上方から徐冷スラグが投入されるために、徐冷スラグすなわちバリア層５は地盤との接触は生じなくて、一方の側面と底面を防蟻シート３、他の側面を内側面２ｃ、上面を断熱材４と密接することになる。断熱材４の底面と防蟻シート３の周縁部とは、断熱材４全底面との密着でなくてもその一部の密着でもよい。
尚、本発明の実施の形態は上述の形態に限ることなく、本発明の思想の範囲を逸脱しない範囲で適宜変更することができる。
【符号の説明】
【００３８】
１    地盤面
２    布基礎
２ａ  布基礎立ち上がり部
２ｂ  フーチング
２ｃ  立ち上がり部内側面
３    防蟻シート
３ａ  重ね代
４    断熱材
４ａ  断熱材の継ぎ目
５    バリア層
６    土間コンクリート
７    間隔
【図１】
2018003266.tif 000003
【図２】
2018003266.tif 000004
【図３】
2018003266.tif 000005
【図４】
2018003266.tif 000006
【図５】
2018003266.tif 000007
【図６】
2018003266.tif 000008
【図７】
2018003266.tif 000009
【図８】
2018003266.tif 000010
【図９】
2018003266.tif 000011
【図１０】
2018003266.tif 000012
【図１１】
2018003266.tif 000013
【図１２】
2018003266.tif 000014